(57)【要約】【課題】同一種別の信号を出力する同一種別のソース機器が複数接続されて再生されている場合でも、各ソース機器についてファンクションと入力端子との対応関係を正しく決定することができ、結果としてソース機器の接続作業に掛かるユーザーの負担を確実に軽減し、布いては従来のような接続ミスや設定ミスの発生を無くすこと等ができる信号処理装置を提供することを課題とする。【解決手段】ＡＶアンプ１００は、マイコン１１８の処理により、ＳＷ１０６Ａに入力端子群１０２Ａを構成する複数の入力端子を切り替えさせながら、ユーザーに出力機器からの出力が所望のものであるか否かを指示させることで、ユーザーに予め設定させたソース機器と入力端子群１０２Ａを構成する複数の入力端子との対応関係を決定し、決定した対応関係をメモリに記憶する。【選択図】        図３
2008153964.tif 000002
【特許請求の範囲】
【請求項１】
ソース機器から当該装置へ信号を入力するための複数の入力端子と、当該装置から出力機器へ前記信号を出力するための出力端子と、各々の前記入力端子で入力した前記信号を前記出力端子へ伝送する伝送手段と、を備えた信号処理装置において、
前記伝送手段へ接続する前記入力端子を切り替える切替手段と、
前記切替手段に前記入力端子を切り替えさせながらユーザーに前記出力機器からの出力が所望のものであるか否かを指示させることで、予め設定された前記ソース機器またはファンクションと前記入力端子との対応関係を決定する決定手段と、
をさらに備えたことを特徴とする信号処理装置。
【請求項２】
前記決定手段は、前記入力端子で入力する前記信号の種別を前記ユーザーに設定させ、設定された前記種別に応じて前記切替手段に前記入力端子を切り替えさせながら前記ユーザーに前記出力機器からの出力が所望のものであるか否かを指示させることで、前記対応関係を決定すること
を特徴とする請求項１に記載の信号処理装置。
【請求項３】
前記決定手段で決定した前記対応関係において所定の前記入力端子が割り当てられている場合には、当該入力端子で入力した前記信号の出力先を前記ユーザーに設定させる出力先設定手段
をさらに備えたことを特徴とする請求項１または２に記載の信号処理装置。
【請求項４】
前記決定手段で決定した前記対応関係において所定の前記入力端子が複数割り当てられている場合には、当該入力端子で入力する前記信号の種別を前記ユーザーに設定させる信号種別設定手段
をさらに備えたこと特徴とする請求項１から３のいずれか１つに記載の信号処理装置。
【発明の詳細な説明】
【技術分野】
【０００１】
本発明は、例えばＡＶアンプなどの信号処理装置に関するものである。
【背景技術】
【０００２】
ユーザーが例えばＣＤプレーヤーやＤＶＤプレーヤー、ビデオデッキなどのソース機器を例えばＡＶアンプに接続する場合、一般的には、ユーザーが、ＡＶアンプの外部入力端子に固定されているファンクションに合わせてソース機器を接続する。
また、最近のＡＶアンプの多くは、複数のソース機器の接続を許容するために、数多くの外部入力端子を備えている。
【０００３】
そのため、ユーザーが行うＡＶアンプとソース機器との接続作業は煩雑になり、その結果、ユーザーによる接続ミスが起こり易くなっている。
【０００４】
そこで、前記の接続作業に掛かるユーザーの負担を軽減するための技術が、特許文献１や特許文献２、特許文献３に開示されている。
ここで、特許文献１には、外部機器からの入力信号があるか否かに基づいて、当該外部機器についてファンクションと入力端子との対応関係を自動で決定するアンプに関する技術が開示されている。これにより、入力端子の接続設定の変更が容易になり、ユーザーの利便性を高めることができる。
また、特許文献２には、コントロール信号により各入力端子に接続されたオーディオ機器の種別を判別し、いずれかのオーディオ機器を選択するファンクション切替指令が出されると、判別した種別の機器が接続されている入力端子を自動で選択するオーディオ信号処理装置に関する技術が開示されている。これにより、システムステレオ装置の接続作業が間違いなく簡単に行えるようになる。
また、特許文献３には、アナログ信号とデジタル信号の両方が同じソース機器から入力される場合において、あるデジタル信号をアナログ信号と比較し、同じソース機器からの信号であると判別された場合には、そのデジタル信号に対応する入力端子をアナログ信号のファンクションに自動で割り当てる増幅装置に関する技術が開示されている。これにより、ユーザーはソース機器をいずれのデジタル入力端子に接続してもよく、接続を簡単に行うことができる。
【０００５】
【特許文献１】特開２００５−２７７８４０号公報
【特許文献２】特開平１１−８６５１８号公報
【特許文献３】特開平１１−２８９５９４号公報
【発明の開示】
【発明が解決しようとする課題】
【０００６】
しかしながら、特許文献１で開示されている技術では、上述した対応関係を信号の種別ごとに決定するので、同一種別の信号を出力する複数の外部機器が再生中であった場合に、各外部機器について当該対応関係を正しく決定することができない虞があるという問題があった。
また、特許文献２で開示されている技術では、オーディオ機器の種別を入力端子ごとに確認し記憶するので、同じ種別のオーディオ機器が複数接続されている場合に、キー操作により出されたファンクション切替指令でどの入力端子が選択されるかは不明であるという問題があった。
また、特許文献３で開示されている技術では、デジタル信号に対応する入力端子には任意にソース機器を接続することができるものの、アナログ信号に対応する入力端子には従来のように予めファンクションが設定されているので、アナログ信号を入力する入力端子に対しては上述した接続作業が必要であり、必ずしもユーザーの負担を軽減することはできないという問題があった。
なお、これらの問題は、本発明が解決しようとする課題の一例である。
【０００７】
本発明は、上記問題に鑑みてなされたものであって、同一種別の信号を出力する同一種別のソース機器が複数接続されて再生されている場合でも、各ソース機器についてファンクションと入力端子との対応関係を正しく決定することができ、結果としてソース機器の接続作業に掛かるユーザーの負担を確実に軽減し、布いては従来のような接続ミスや設定ミスの発生を無くすこと等ができる信号処理装置を提供することを目的とするものである。
【課題を解決するための手段】
【０００８】
上述した課題を解決し、目的を達成するために、本発明にかかる請求項１に記載の発明は、ソース機器から当該装置へ信号を入力するための複数の入力端子と、当該装置から出力機器へ前記信号を出力するための出力端子と、各々の前記入力端子で入力した前記信号を前記出力端子へ伝送する伝送手段と、を備えた信号処理装置において、前記伝送手段へ接続する前記入力端子を切り替える切替手段と、前記切替手段に前記入力端子を切り替えさせながらユーザーに前記出力機器からの出力が所望のものであるか否かを指示させることで、予め設定された前記ソース機器またはファンクションと前記入力端子との対応関係を決定する決定手段と、をさらに備えたことを特徴とする。
【発明を実施するための最良の形態】
【０００９】
以下に、本発明にかかる信号処理装置の実施形態を詳細に説明する。なお、本実施形態により本発明が限定されるものではない。
【００１０】
本実施形態の信号処理装置は、ソース機器から当該装置へ信号を入力するための複数の入力端子と、当該装置から出力機器へ信号を出力するための出力端子と、各々の入力端子で入力した信号を出力端子へ伝送する伝送手段と、を備える。
【００１１】
本実施形態の信号処理装置は、伝送手段へ接続する入力端子を切り替える切替手段と、切替手段に入力端子を切り替えさせながらユーザーに出力機器からの出力が所望のものであるか否かを指示させることで、予め設定されたソース機器またはファンクションと入力端子との対応関係を決定する決定手段と、をさらに備える。
【００１２】
以上、本実施形態の信号処理装置によれば、切替手段に入力端子を切り替えさせながらユーザーに出力機器からの出力が所望のものであるか否かを指示させることで、予め設定されたソース機器またはファンクションと入力端子との対応関係を決定するので、同一種別の信号を出力する同一種別のソース機器が複数接続されて再生されている場合でも、各ソース機器についてファンクションと入力端子との対応関係を正しく決定することができ、結果としてソース機器の接続作業に掛かるユーザーの負担を確実に軽減し、布いては従来のような接続ミスや設定ミスの発生を無くすこと等ができるという効果を奏する。
【００１３】
なお、本実施形態の信号処理装置は、決定手段において、入力端子で入力する信号の種別をユーザーに設定させ、設定された種別に応じて切替手段に入力端子を切り替えさせながらユーザーに出力機器からの出力が所望のものであるか否かを指示させることで、対応関係を決定してもよい。これにより、切替手段を効率よく制御することができるという効果を奏する。
【００１４】
また、本実施形態の信号処理装置は、決定手段で決定した対応関係において所定の入力端子が割り当てられている場合には、当該入力端子で入力した信号の出力先をユーザーに設定させる出力先設定手段をさらに備えてもよい。これにより、ユーザーは所望の出力先を設定することができるという効果を奏する。
【００１５】
また、本実施形態の信号処理装置は、決定手段で決定した対応関係において所定の入力端子が複数割り当てられている場合には、当該入力端子で入力する信号の種別をユーザーに設定させる信号種別設定手段をさらに備えてもよい。これにより、ユーザーは所望の種別の入力信号を設定することができるという効果を奏する。
【実施例】
【００１６】
ここでは、本実施形態にかかる信号処理装置の実施例であるＡＶ（Ａｕｄｉｏ  Ｖｉｓｕａｌ）アンプ１００について、図１から図３３を参照して詳細に説明する。
【００１７】
〔１．ＡＶアンプ１００の構成〕
まず、ＡＶアンプ１００の構成について、図１を参照して詳細に説明する。図１は、ＡＶアンプ１００の構成の一例を示すブロック図である。
【００１８】
ＡＶアンプ１００は、上述した実施形態における複数の入力端子に相当する入力端子群１０２を備えている。入力端子群１０２は、音声入力端子群１０２Ａと映像入力端子群１０２ＶとＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）入力端子群１０２Ｈとからなる。音声入力端子群１０２Ａは、例えばＣＤやＤＶＤやＶＩＤＥＯなどのソース機器からの音声信号をＡＶアンプ１００へ入力する端子群である。音声入力端子群１０２Ａは、アナログ音声信号を入力する３つの入力端子（アナログ入力端子１０２Ａａ１、アナログ入力端子１０２Ａａ２、アナログ入力端子１０２Ａａ３）と、デジタル音声信号を入力する３つの入力端子（デジタル入力端子１０２Ａｄ１、デジタル入力端子１０２Ａｄ２、デジタル入力端子１０２Ａｄ３）とからなる。映像入力端子群１０２Ｖは、ソース機器からの映像信号をＡＶアンプ１００へ入力する端子群である。映像入力端子群１０２Ｖは、コンポーネント（ｃｏｍｐｏｎｅｎｔ）信号を入力する２つの入力端子（コンポーネント入力端子１０２Ｖｃｎ１およびコンポーネント入力端子１０２Ｖｃｎ２）と、コンポジット（ｃｏｍｐｏｓｉｔｅ）信号を入力する２つの入力端子（コンポジット入力端子１０２Ｖｃｓ１およびコンポジット入力端子１０２Ｖｃｓ２）と、Ｓビデオ（Ｓ映像、Ｓ−Ｖｉｄｅｏ）信号を入力する２つの入力端子（Ｓビデオ入力端子１０２Ｖｓｖ１およびＳビデオ入力端子１０２Ｖｓｖ２）とからなる。ＨＤＭＩ入力端子群１０２Ｈは、ソース機器からのＨＤＭＩ信号をＡＶアンプ１００へ入力する端子群である。ＨＤＭＩ入力端子群１０２Ｈは、ＨＤＭＩ信号を入力する２つの入力端子（ＨＤＭＩ入力端子１０２Ｈ１およびＨＤＭＩ入力端子１０２Ｈ２）からなる。
【００１９】
ＡＶアンプ１００は、上述した実施形態における出力端子を含む出力端子群１０４を備えている。出力端子群１０４は、音声出力端子１０４Ａと映像出力端子１０４ＶとＨＤＭＩ出力端子１０４Ｈとからなる。音声出力端子１０４Ａは、ＡＶアンプ１００からの音声信号を、例えばスピーカなどの出力機器へ出力する端子である。映像出力端子１０４Ｖは、ＡＶアンプ１００からの映像信号を、例えばＴＶなどの出力機器へ出力する端子である。ＨＤＭＩ出力端子１０４Ｈは、ＡＶアンプ１００からのＨＤＭＩ信号を例えばＴＶやＤＶＤレコーダーなどの出力機器へ出力する端子である。
【００２０】
ＡＶアンプ１００は、上述した実施形態における切替手段に相当するＳＷ（スイッチ）１０６ＡとＳＷ１０６Ｖとを備えている。ＳＷ１０６Ａは、音声入力端子群１０２Ａを構成する各々の入力端子と接続されており、これら入力端子との接続を個別に切り替える。ＳＷ１０６Ａは、後述するＡ／Ｄ変換器１０８、後述するＤＩＲ１１０、後述するマイコン１１８と接続されている。ＳＷ１０６Ｖは、映像入力端子群１０２Ｖを構成する各々の入力端子と接続されており、これら入力端子との接続を個別に切り替える。ＳＷ１０６Ｖは、後述するマイコン１１８、後述するビデオコンバータ１２４と接続されている。
【００２１】
ＡＶアンプ１００は、上述した実施形態における伝送手段に相当するＡ／Ｄ変換器１０８とＤＩＲ（Ｄｉｇｉｔａｌ  Ｉｎｔｅｒｆａｃｅ  Ｒｅｃｅｉｖｅｒ）１１０とＤＳＰ（Ｄｉｇｉｔａｌ  Ｓｉｇｎａｌ  Ｐｒｏｃｅｓｓｏｒ）１１２とＤ／Ａ変換器１１４とａｍｐ（アンプ）１１６とを備えている。Ａ／Ｄ変換器１０８は、ＳＷ１０６Ａから伝送されたアナログ音声信号をデジタル音声信号に変換する。Ａ／Ｄ変換器１０８は、ＤＳＰ１１２と接続されている。ＤＩＲ１１０は、ＳＷ１０６Ａから伝送されたデジタル音声信号を受信したり、後述するＨＤＭＩ音声信号切替スイッチ１２８を介して伝送されたＨＤＭＩ音声信号を受信したりする。ＤＩＲ１１０は、ＤＳＰ１１２、後述するＨＤＭＩ音声信号切替スイッチ１２８と接続されている。ＤＳＰ１１２は、Ａ／Ｄ変換器１０８で変換したデジタル音声信号を処理したり、ＤＩＲ１１０で受信したデジタル音声信号やＨＤＭＩ音声信号を処理したりする。ＤＳＰ１１２は、後述するマイコン１１８、Ｄ／Ａ変換器１１４と接続されている。Ｄ／Ａ変換器１１４は、ＤＳＰ１１２で処理したデジタル音声信号やＨＤＭＩ音声信号をアナログ音声信号に変換する。Ｄ／Ａ変換器１１４は、ａｍｐ１１６と接続されている。ａｍｐ１１６は、Ｄ／Ａ変換器１１４で変換したアナログ信号を増幅する。ａｍｐ１１６は、音声出力端子１０４Ａと接続されている。
【００２２】
ＡＶアンプ１００は、上述した実施形態における決定手段、出力先設定手段および信号種別設定手段に相当するマイコン１１８とモニタ１２０と操作キー１２２とを備えている。マイコン１１８は、ＡＶアンプ１００の各部を統括的に制御するＣＰＵ（Ｃｅｎｔｒａｌ  Ｐｒｏｃｅｓｓｉｎｇ  Ｕｎｉｔ）や、各種情報を記憶するＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリなどを備えている。マイコン１１８は、音声入力端子群１０２Ａを構成する各々の入力端子および映像入力端子群１０２Ｖを構成する各々の入力端子をそれぞれＳＷ１０６ＡおよびＳＷ１０６Ｖに切り替えさせながら、出力機器からの出力が所望のものであるか否かをユーザーに操作キー１２２で指示させることで、操作キー１２２でユーザーに予め設定させたソース機器またはファンクションと、音声入力端子群１０２Ａを構成する各々の入力端子・映像入力端子群１０２Ｖを構成する各々の入力端子・ＨＤＭＩ入力端子群１０２Ｈを構成する各々の入力端子との対応関係を決定し、決定した対応関係をメモリに記憶する。マイコン１１８は、モニタ１２０、操作キー１２２と接続されている。モニタ１２０は、マイコン１１８から伝送された各種画面を表示する。操作キー１２２は、モニタ１２０に表示した画面内の事項についてユーザーに選択や決定の作業などを行わせるためのものである。操作キー１２２は、モニタ１２０に表示した画面内でカーソルを移動させるための矢印キーや、モニタ１２０に表示した画面内の事項を決定するためのＥＮＴＥＲキー、モニタ１２０に表示した画面に対し文字や数字や記号などを入力するための入力キーなどからなる。
【００２３】
ＡＶアンプ１００は、上述した実施形態における伝送手段に相当するビデオコンバータ１２４を備えている。ビデオコンバータ１２４は、ＳＷ１０６Ｖから伝送された映像信号を所定の形式に変換する。ビデオコンバータ１２４は、映像出力端子１０４Ｖと接続されている。
【００２４】
ＡＶアンプ１００は、上述した実施形態における伝送手段に相当するＨＤＭＩ受信デコーダ１２６とＨＤＭＩ音声信号切替スイッチ１２８とＨＤＭＩエンコーダ１３０とを備えている。ＨＤＭＩ受信デコーダ１２６は、ＨＤＭＩ入力端子群１０２Ｈを構成する各々の入力端子から入力されたＨＤＭＩ信号をデコードする。ＨＤＭＩ受信デコーダ１２６は、ＨＤＭＩ音声信号切替スイッチ１２８、ＨＤＭＩエンコーダ１３０と接続されている。ＨＤＭＩ音声信号切替スイッチ１２８は、ＨＤＭＩ受信デコーダ１２６でデコードしたＨＤＭＩ音声信号の伝送先を、ＤＩＲ１１０またはＨＤＭＩエンコーダ１３０のいずれかに切り替える。ＨＤＭＩ音声信号切替スイッチ１２８は、ＤＩＲ１１０、ＨＤＭＩエンコーダ１３０と接続されている。ＨＤＭＩエンコーダ１３０は、ＨＤＭＩ受信デコーダ１２６でデコードしたＨＤＭＩ音声信号およびＨＤＭＩ映像信号をエンコードする。ＨＤＭＩエンコーダ１３０は、ＨＤＭＩ出力端子１０４Ｈと接続されている。
【００２５】
〔２．ＡＶアンプ１００の動作〕
つぎに、ＡＶアンプ１００の動作について、図２および図３や、図２１および図２２などを参照して詳細に説明する。
【００２６】
ユーザーがＡＶアンプ１００の入力端子群１０２を構成する各々の入力端子にソース機器の出力端子を任意に接続してからＡＶアンプ１００を起動させると、ＡＶアンプ１００は、マイコン１１８を中心として、図２および図３に示す動作（その１）、図２１および図２２に示す動作（その２）をそれぞれ実行する。
【００２７】
〔２−１．動作（その１）〕
ここでは、図２および図３に示す動作（その１）について説明する。
【００２８】
まず、マイコン１１８は、接続したソース機器をユーザーに選択させる選択画面ＭＡ（図４参照）をモニタ１２０に表示して、接続したソース機器をユーザーに選択させる（ステップＳＡ−１）。
【００２９】
ここで、図４に示す選択画面ＭＡについて説明する。選択画面ＭＡは、ユーザーへの指示内容を表示する領域ＭＡ−１と、マイコン１１８のメモリに予め設定されたソース機器名の一覧を選択可能に表示する領域ＭＡ−２と、ソース機器名を入力する領域ＭＡ−３と、接続したソース機器の選択および／または入力が完了したことをマイコン１１８へ通知する領域ＭＡ−４と、で構成される。領域ＭＡ−１には、例えば図４に示す「接続したソース機器を選択してください」というような指示内容が表示される。領域ＭＡ−２には、例えば図４に示す「ＣＤ  ＭＤ  ＤＶＤ  ＬＤ  ＶＩＤＥＯ１  ＶＩＤＥＯ２  ＤＶＲ１  ＤＶＲ２」というような選択内容が表示される。領域ＭＡ−２には、操作キー１２２の矢印キーで移動可能なカーソルが表示される。
【００３０】
ユーザーは、モニタ１２０に選択画面ＭＡが表示されたことを確認すると、操作キー１２２を使用して以下の手順〔１１〕および〔１２〕を実行して、接続したソース機器の選択を行う。
〔１１〕ユーザーは、操作キー１２２の矢印キーを操作してカーソルを所望のソース機器名の表示位置へ移動し、操作キー１２２のＥＮＴＥＲキーを押す。そして、接続したソース機器の数が複数である場合には、ユーザーはこの手順を繰り返し行う。なお、カーソルが領域ＭＡ−２内に在る場合に操作キー１２２のＥＮＴＥＲキーを押すと、カーソルの位置する部分の背景色が、図４に示すように例えば白からグレーへと切り替わる。また、領域ＭＡ−２に表示されているソース機器名の一覧の中に所望のソース機器名が無い場合には、ユーザーは、操作キー１２２の矢印キーを操作してカーソルを領域ＭＡ−３へ移動し、操作キー１２２の入力キーを操作して所望のソース機器名を入力する。
〔１２〕ユーザーは、接続したソース機器の選択や入力が完了したら、操作キー１２２の矢印キーを操作してカーソルを領域ＭＡ−４へ移動し、操作キー１２２のＥＮＴＥＲキーを押す。これにより、ユーザーは、接続したソース機器の選択や入力が完了したことをマイコン１１８へ通知する。
【００３１】
図２に戻り、マイコン１１８は、操作キー１２２のＥＮＴＥＲキーが押されると（ステップＳＡ−２：Ｙｅｓ）、選択画面ＭＡで選択されたソース機器の総数を、メモリで管理する変数Ｎに代入して記憶する（ステップＳＡ−３）。なお、マイコン１１８は、ステップＳＡ−３において、選択画面ＭＡで選択された各々のソース機器に対し、整数値０からＮ−１までの管理番号を割り振る。
【００３２】
つぎに、マイコン１１８は、メモリで管理する変数ｎに０を代入する（ステップＳＡ−４）。
【００３３】
つぎに、マイコン１１８は、変数ｎの値と同じ管理番号が割り振られているソース機器の再生をユーザーに指示したりＳＷ１０６ＡやＳＷ１０６Ｖへ割り当てる（アサインする）入力信号の種別をユーザーに選択させたりする選択画面ＭＢ（図５、図６、図７、図８参照）をモニタ１２０に表示して、ユーザーにソース機器を再生するよう促すと共に、アサインする入力信号の種別を選択させる（ステップＳＡ−５）。
【００３４】
ここで、図５、図６、図７、図８に示す選択画面ＭＢについて説明する。図５、図６、図７、図８に示す選択画面ＭＢは、ユーザーへの指示内容を表示する領域ＭＢ−１と、ＳＷ１０６ＡやＳＷ１０６Ｖへアサインする入力信号の種別を選択可能に表示する領域ＭＢ−２と、で構成される。領域ＭＢ−１には、選択画面ＭＡで選択されたソース機器に応じて、例えば図５に示す「ＣＤを再生してください。」や図６に示す「ＤＶＤを再生してください。」や図７に示す「ＶＩＤＥＯ１を再生してください。」や図８に示す「ＶＩＤＥＯ２を再生してください。」というような指示内容が表示される。領域ＭＢ−１には、再生対象のソース機器以外のものを停止するよう促す指示内容をさらに表示してもよい。これにより、後述する確認画面ＭＣに対するユーザーの指示誤りを起こり難くすることができる。領域ＭＢ−２には、例えば、図５、図６、図７、図８に示す「アサインするのは、音声のみ  映像のみ  音声と映像」というような選択内容が表示される。領域ＭＢ−２には、操作キー１２２の矢印キーで移動可能なカーソルが表示される。
【００３５】
ユーザーは、モニタ１２０に選択画面ＭＢが表示されたことを確認すると、指示されたソース機器を再生すると共に、操作キー１２２の矢印キーを操作してカーソルを所望の種別の表示位置へ移動し、操作キー１２２のＥＮＴＥＲキーを押す。これにより、ユーザーは、指示されたソース機器の再生とＳＷ１０６ＡやＳＷ１０６Ｖへアサインする入力信号の種別の選択とが完了したことをマイコン１１８へ通知する。
【００３６】
図２に戻り、マイコン１１８は、操作キー１２２のＥＮＴＥＲキーが押されると（ステップＳＡ−６：Ｙｅｓ）、出力機器からの再生音・再生映像が所望のものであるかをユーザーに確認させる確認画面ＭＣ（図９、図１０、図１１、図１２参照）をモニタ１２０に表示して、出力機器からの再生音・再生映像が選択画面ＭＢで指示されたソース機器からのものであるかをユーザーに確認させる（ステップＳＡ−７）。
【００３７】
ここで、図９、図１０、図１１、図１２に示す確認画面ＭＣについて説明する。図９、図１０、図１１、図１２に示す確認画面ＭＣは、ユーザーへの指示内容を表示する領域ＭＣ−１で構成される。領域ＭＣ−１には、選択画面ＭＡで選択されたソース機器および入力信号の種別に応じて、例えば図９に示す「アサイン確認中．．．ＣＤの再生音が聴こえたらＥＮＴＥＲキーを押してください。」や図１０に示す「アサイン確認中．．．ＤＶＤの再生音と映像を視聴できたらＥＮＴＥＲキーを押してください。」や図１１に示す「アサイン確認中．．．ＶＩＤＥＯ１の再生音と映像を視聴できたらＥＮＴＥＲキーを押してください。」や図１２に示す「アサイン確認中．．．ＶＩＤＥＯ２の再生音と映像を視聴できたらＥＮＴＥＲキーを押してください。」というような指示内容が表示される。
【００３８】
ユーザーは、モニタ１２０に確認画面ＭＣが表示されたことを確認すると、出力機器からの再生音・再生映像を確認しながら、それが選択画面ＭＢで指示されたソース機器からのものである時に操作キー１２２のＥＮＴＥＲキーを押す。
【００３９】
図２に戻り、マイコン１１８は、選択画面ＭＢで選択された入力信号の種別を確認し、変数ｎの値と同じ管理番号に対応するソース機器について、以下の３つのパターンの処理の中からその種別に対応するものを実行する。
【００４０】
〔パターン１：選択された入力信号の種別が「音声のみ」であった場合〕
図３へ進み、マイコン１１８は、選択画面ＭＢで選択された入力信号の種別が「音声のみ」であった場合（ステップＳＡ−８：「音声のみ」）、メモリで管理する変数ｉに０を代入する（ステップＳＡ−９）。なお、マイコン１１８のメモリには、音声入力端子群１０２Ａの各々の入力端子に対し整数値０からＩ−１（Ｉ：音声入力端子群１０２Ａを構成する入力端子の総数）までの管理番号が割り振られた図１３に示すような管理テーブルが予め記憶されている。
【００４１】
図３に戻り、マイコン１１８は、音声入力端子群１０２Ａの複数の入力端子の中から図１３において変数ｉの値と同じ管理番号に対応する入力端子に接続を切り替えるようＳＷ１０６Ａを制御することで、ＳＷ１０６Ａを、変数ｉの値と同じ管理番号に対応する入力端子と接続する（ステップＳＡ−１０）。
【００４２】
つぎに、マイコン１１８は、確認画面ＭＣに対して操作キー１２２のＥＮＴＥＲキーが押されたか否かを確認し、その確認結果が「ＥＮＴＥＲキーが押された」というものであった場合（ステップＳＡ−１１：Ｙｅｓ）には変数ｎの値と同じ管理番号に対応するソース機器と、変数ｉの値と同じ管理番号に対応する入力端子との対応関係を決定し、決定した対応関係をメモリで図１４に示すように記憶し（ステップＳＡ−１２）、その確認結果が「ＥＮＴＥＲキーが押されてない」というものであった場合（ステップＳＡ−１１：Ｎｏ）にはステップＳＡ−１３へ進む。
【００４３】
ここで、図１４に示す管理テーブルについて説明する。図１４に示す管理テーブルは、管理番号とソース機器名と音声入力端子識別情報と映像入力端子識別情報とＨＤＭＩ入力端子識別情報とを相互に関連付けて格納する。管理番号は、上述したステップＳＡ−３において割り振ったものである。音声入力端子識別情報は、音声入力端子群１０２Ａの各々の入力端子を一意に識別するためのものであり、例えばａ１、ａ２、ａ３、ｄ１、ｄ２、ｄ３などである。映像入力端子識別情報は、映像入力端子群１０２Ｖの各々の入力端子を一意に識別するためのものであり、例えばｃｎ１、ｃｎ２、ｃｓ１、ｃｓ２、ｓｖ１、ｓｖ２などである。ＨＤＭＩ入力端子識別情報は、ＨＤＭＩ入力端子群１０２Ｈの各々の入力端子を一意に識別するためのものであり、例えばＨＤＭＩ１、ＨＤＭＩ２などである。
なお、パターン１の処理では映像信号がアサインされないので、図１４に示すテーブルには映像入力端子識別情報として「ＯＦＦ」を格納してもよい。
【００４４】
図３に戻り、マイコン１１８は、変数ｉをインクリメントする（ステップＳＡ−１３）。具体的には、マイコン１１８は、変数ｉに１を加える。
【００４５】
つぎに、マイコン１１８は、変数ｉの値が、音声入力端子群１０２Ａを構成する入力端子の総数Ｉ以上であるか否かを判定し、その判定結果が「Ｉ以上でない」というものであった場合（ステップＳＡ−１４：Ｎｏ）にはステップＳＡ−１０へ戻り、その判定結果が「Ｉ以上である」というものであった場合（ステップＳＡ−１４：Ｙｅｓ）にはステップＳＡ−３２へ進む。
【００４６】
〔パターン２：選択された入力信号の種別が「映像のみ」であった場合〕
マイコン１１８は、選択画面ＭＢで選択された入力信号の種別が「映像のみ」であった場合（ステップＳＡ−８：「映像のみ」）、メモリで管理する変数ｊに０を代入する（ステップＳＡ−１５）。なお、マイコン１１８のメモリには、映像入力端子群１０２Ｖの各々の入力端子に対し整数値０からＪ−１（Ｊ：映像入力端子群１０２Ｖを構成する入力端子の総数）までの管理番号が割り振られた図１５に示すような管理テーブルが予め記憶されている。
【００４７】
図３に戻り、マイコン１１８は、映像入力端子群１０２Ｖの複数の入力端子の中から図１５において変数ｊの値と同じ管理番号に対応する入力端子に接続を切り替えるようＳＷ１０６Ｖを制御することで、ＳＷ１０６Ｖを、変数ｊの値と同じ管理番号に対応する入力端子と接続する（ステップＳＡ−１６）。
【００４８】
つぎに、マイコン１１８は、確認画面ＭＣに対して操作キー１２２のＥＮＴＥＲキーが押されたか否かを確認し、その確認結果が「ＥＮＴＥＲキーが押された」というものであった場合（ステップＳＡ−１７：Ｙｅｓ）には変数ｎの値と同じ管理番号に対応するソース機器と、変数ｊの値と同じ管理番号に対応する入力端子との対応関係を決定し、決定した対応関係をメモリで図１４に示すように記憶し（ステップＳＡ−１８）、その確認結果が「ＥＮＴＥＲキーが押されてない」というものであった場合（ステップＳＡ−１７：Ｎｏ）にはステップＳＡ−１９へ進む。なお、パターン２の処理では音声信号がアサインされないので、図１４に示す管理テーブルには音声入力端子識別情報として「ＯＦＦ」を格納してもよい。
【００４９】
図３に戻り、マイコン１１８は、変数ｊをインクリメントする（ステップＳＡ−１９）。具体的には、マイコン１１８は、変数ｊに１を加える。
【００５０】
つぎに、マイコン１１８は、変数ｊの値が、映像入力端子群１０２Ｖを構成する入力端子の総数Ｊ以上であるか否かを判定し、その判定結果が「Ｊ以上でない」というものであった場合（ステップＳＡ−２０：Ｎｏ）にはステップＳＡ−１６へ戻り、その判定結果が「Ｊ以上である」というものであった場合（ステップＳＡ−２０：Ｙｅｓ）にはステップＳＡ−３２へ進む。
【００５１】
〔パターン３：選択された入力信号の種別が「音声と映像」であった場合〕
マイコン１１８は、選択画面ＭＢで選択された入力信号の種別が「音声と映像」であった場合（ステップＳＡ−８：「音声と映像」）、メモリで管理する変数ｉおよび変数ｊにそれぞれ０を代入する（ステップＳＡ−２１）。なお、マイコン１１８のメモリには、音声入力端子群１０２Ａの各々の入力端子に対し整数値０からＩ−１（Ｉ：音声入力端子群１０２Ａを構成する入力端子の総数）までの管理番号が割り振られた図１３に示すような管理テーブルが予め記憶されている。また、マイコン１１８のメモリには、映像入力端子群１０２Ｖの各々の入力端子に対し整数値０からＪ−１（Ｊ：映像入力端子群１０２Ｖを構成する入力端子の総数）までの管理番号が割り振られた図１５に示すような管理テーブルが予め記憶されている。
【００５２】
図３に戻り、マイコン１１８は、音声入力端子群１０２Ａの複数の入力端子の中から図１３において変数ｉの値と同じ管理番号に対応する入力端子に接続を切り替えるようＳＷ１０６Ａを制御することで、ＳＷ１０６Ａで、変数ｉの値と同じ管理番号に対応する入力端子と接続する（ステップＳＡ−２２）。
【００５３】
つぎに、マイコン１１８は、確認画面ＭＣに対して操作キー１２２のＥＮＴＥＲキーが押されたか否かを確認し、その確認結果が「ＥＮＴＥＲキーが押された」というものであった場合（ステップＳＡ−２３：Ｙｅｓ）には変数ｎの値と同じ管理番号に対応するソース機器と、変数ｉの値と同じ管理番号に対応する入力端子との対応関係を決定し、決定した対応関係をメモリで図１４に示すように記憶し（ステップＳＡ−２４）、その確認結果が「ＥＮＴＥＲキーが押されてない」というものであった場合（ステップＳＡ−２３：Ｎｏ）にはステップＳＡ−３０へ進む。
【００５４】
図３に戻り、マイコン１１８は、映像入力端子群１０２Ｖの複数の入力端子の中から図１５において変数ｊの値と同じ管理番号に対応する入力端子に接続を切り替えるようＳＷ１０６Ｖを制御することで、ＳＷ１０６Ｖを、変数ｊの値と同じ管理番号に対応する入力端子と接続する（ステップＳＡ−２５）。
【００５５】
つぎに、マイコン１１８は、確認画面ＭＣに対して操作キー１２２のＥＮＴＥＲキーが押されたか否かを確認し、その確認結果が「ＥＮＴＥＲキーが押された」というものであった場合（ステップＳＡ−２６：Ｙｅｓ）には変数ｎの値と同じ管理番号に対応するソース機器と、変数ｊの値と同じ管理番号に対応する入力端子との対応関係を決定し、決定した対応関係をステップＳＡ−２４で決定した対応関係と関連付けてメモリで図１４に示すように記憶し（ステップＳＡ−２７）、その確認結果が「ＥＮＴＥＲキーが押されてない」というものであった場合（ステップＳＡ−２６：Ｎｏ）にはステップＳＡ−２８へ進む。
【００５６】
図３に戻り、マイコン１１８は、変数ｊをインクリメントする（ステップＳＡ−２８）。具体的には、マイコン１１８は、変数ｊに１を加える。
【００５７】
つぎに、マイコン１１８は、変数ｊの値が、映像入力端子群１０２Ｖを構成する入力端子の総数Ｊ以上であるか否かを判定し、その判定結果が「Ｊ以上でない」というものであった場合（ステップＳＡ−２９：Ｎｏ）にはステップＳＡ−２５へ戻り、その判定結果が「Ｊ以上である」というものであった場合（ステップＳＡ−２９：Ｙｅｓ）にはステップＳＡ−３０へ進む。
【００５８】
つぎに、マイコン１１８は、変数ｉをインクリメントする（ステップＳＡ−３０）。具体的には、マイコン１１８は、変数ｉに１を加える。
【００５９】
つぎに、マイコン１１８は、変数ｉの値が、音声入力端子群１０２Ａを構成する入力端子の総数Ｉ以上であるか否かを判定し、その判定結果が「Ｉ以上でない」というものであった場合（ステップＳＡ−３１：Ｎｏ）にはステップＳＡ−２２へ戻り、その判定結果が「Ｉ以上である」というものであった場合（ステップＳＡ−３１：Ｙｅｓ）にはステップＳＡ−３２へ進む。
【００６０】
これにて、３つのパターンの処理の説明を終了する。
【００６１】
つぎに、マイコン１１８は、変数ｎをインクリメントする（ステップＳＡ−３２）。具体的には、マイコン１１８は、変数ｎに１を加える。
【００６２】
つぎに、マイコン１１８は、変数ｎの値が、接続したソース機器の総数Ｎ以上であるか否かを判定し、その判定結果が「Ｎ以上でない」というものであった場合（ステップＳＡ−３３：Ｎｏ）にはステップＳＡ−５へ戻り、その判定結果が「Ｎ以上である」というものであった場合（ステップＳＡ−３３：Ｙｅｓ）には処理を終了する。
【００６３】
以上の処理の結果、図１４に示すように、接続した各々のソース機器について、音声信号を入力する入力端子と、映像信号を入力する入力端子と、ＨＤＭＩ信号を入力する入力端子とが決定する。
【００６４】
なお、ＡＶアンプ１００は、図２および図３に示す動作に続けて、マイコン１１８を中心として、図１６に示す動作を実行してもよい。図１６は、ＡＶアンプ１００の動作の一例を示すフローチャートである。
【００６５】
マイコン１１８は、図３に示すステップＳＡ−３３に続けて、変数ｎに０を代入することで変数ｎをリセットする（ステップＳＡ−３４）。
【００６６】
つぎに、マイコン１１８は、図１４において、変数ｎの値と同じ管理番号に対応するソース機器に対し、ＨＤＭＩ入力端子識別情報が格納されているか否か（ＨＤＭＩ入力端子群１０２Ｈへの割り当てがあるか否か）、音声信号入力端子識別情報が複数格納されているか否か（音声入力端子群１０２Ａへの割り当てが複数あるか否か）、映像信号入力端子識別情報が複数格納されているか否か（映像入力端子群１０２Ｖへの割り当てが複数あるか否か）を確認する（ステップＳＡ−３５）。
【００６７】
つぎに、マイコン１１８は、ステップＳＡ−３５での確認結果が「図１４においてＨＤＭＩ入力端子群１０２Ｈへの割り当てがある」というものであった場合（ステップＳＡ−３６：Ｙｅｓ）には、変数ｎの値と同じ管理番号に対応するソース機器からのＨＤＭＩ音声信号の出力先をユーザーに選択させる選択画面ＭＤ（図１７参照）をモニタ１２０に表示して、ＨＤＭＩ音声信号の出力先をユーザーに選択させ（ステップＳＡ−３７）、ＨＤＭＩ入力端子群１０２Ｈへの割り当てがない場合（ステップＳＡ−３６：Ｎｏ）には、ステップＳＡ−４０へ進む。
【００６８】
ここで、図１７に示す選択画面ＭＤについて説明する。選択画面ＭＤは、図１４において変数ｎの値と同じ管理番号に対応するソース機器名を表示する領域ＭＤ−１と、ＨＤＭＩ音声信号の出力先を選択可能に表示する領域ＭＤ−２と、で構成される。領域ＭＤ−１には、例えば図１７に示す「接続ソース機器：ＤＶＤ」というような内容が表示される。領域ＭＤ−２には、例えば図１７に示す「ＨＤＭＩ入力の音声信号は、《テレビスピーカ》《スピーカ》から、出力します。」というような選択内容が表示される。領域ＭＤ−２には、操作キー１２２の矢印キーで移動可能なカーソルが表示される。
【００６９】
ユーザーは、モニタ１２０に選択画面ＭＤが表示されたことを確認すると、操作キー１２２の矢印キーを操作してカーソルを所望の出力先の表示位置へ移動し、操作キー１２２のＥＮＴＥＲキーを押す。これにより、ユーザーは、ＨＤＭＩ音声信号の出力先の選択が完了したことをマイコン１１８へ通知する。
【００７０】
図１６に戻り、マイコン１１８は、操作キー１２２のＥＮＴＥＲキーが押されると（ステップＳＡ−３８：Ｙｅｓ）、選択画面ＭＤにおける選択結果をメモリに記憶する（ステップＳＡ−３９）。
【００７１】
つぎに、マイコン１１８は、ステップＳＡ−３５での確認結果が「図１４において音声入力端子群１０２Ａへの割り当てが複数ある」というものであった場合（ステップＳＡ−４０：Ｙｅｓ）には、変数ｎの値と同じ管理番号に対応するソース機器から入力する音声信号の種別（例えば、アナログ、デジタルなど）をユーザーに選択させる選択画面ＭＥ（図１８参照）をモニタ１２０に表示して、入力する音声信号の種別をユーザーに選択させ（ステップＳＡ−４１）、音声入力端子群１０２Ａへの割り当てが複数ない場合（ステップＳＡ−４０：Ｎｏ）には、ステップＳＡ−４４へ進む。
【００７２】
ここで、図１８に示す選択画面ＭＥについて説明する。選択画面ＭＥは、変数ｎの値と同じ管理番号に対応するソース機器名を表示する領域ＭＥ−１と、入力する音声信号の種別を選択可能に表示する領域ＭＥ−２と、で構成される。領域ＭＥ−１には、例えば図１８に示す「接続ソース機器：ＣＤ」というような内容が表示される。領域ＭＥ−２には、例えば図１８に示す「音声入力は、《ＡＵＴＯ（ＤＩＧＩＴＡＬが優先となります）》《ＡＮＡＬＯＧ固定》《ＤＩＧＩＴＡＬ固定》」というような選択内容が表示される。領域ＭＥ−２には、操作キー１２２の矢印キーで移動可能なカーソルが表示される。
【００７３】
ユーザーは、モニタ１２０に選択画面ＭＥが表示されたことを確認すると、操作キー１２２の矢印キーを操作してカーソルを所望の種別の表示位置へ移動し、操作キー１２２のＥＮＴＥＲキーを押す。これにより、ユーザーは、入力する音声信号の種別の選択が完了したことをマイコン１１８へ通知する。
【００７４】
図１６に戻り、マイコン１１８は、操作キー１２２のＥＮＴＥＲキーが押されると（ステップＳＡ−４２：Ｙｅｓ）、選択画面ＭＥにおける選択結果をメモリに記憶する（ステップＳＡ−４３）。
【００７５】
つぎに、マイコン１１８は、ステップＳＡ−３５での確認結果が「図１４において映像入力端子群１０２Ｖへの割り当てが複数ある」というものであった場合（ステップＳＡ−４４：Ｙｅｓ）には、変数ｎの値と同じ管理番号に対応するソース機器から入力する映像信号の種別（例えばコンポーネント、コンポジットなど）をユーザーに選択させる選択画面ＭＦ（図１９参照）をモニタ１２０に表示して、入力する映像信号の種別をユーザーに選択させ（ステップＳＡ−４５）、映像入力端子群１０２Ｖへの割り当てが複数ない場合（ステップＳＡ−４４：Ｎｏ）には、ステップＳＡ−４８へ進む。
【００７６】
ここで、図１９に示す選択画面ＭＦについて説明する。選択画面ＭＦは、変数ｎの値と同じ管理番号に対応するソース機器名を表示する領域ＭＦ−１と、入力する映像信号の種別を選択可能に表示する領域ＭＦ−２と、で構成される。領域ＭＦ−１には、例えば図１９に示す「接続ソース機器：ＤＶＤ」というような内容が表示される。領域ＭＦ−２には、例えば図１９に示す「映像入力は、《ＡＵＴＯ（コンポーネント、Ｓビデオ、コンポジットの順で優先します）》《コンポーネント１》《コンポジット２》」というような選択内容が表示される。領域ＭＦ−２には、操作キー１２２の矢印キーで移動可能なカーソルが表示される。
【００７７】
ユーザーは、モニタ１２０に選択画面ＭＦが表示されたことを確認すると、操作キー１２２の矢印キーを操作してカーソルを所望の種別の表示位置へ移動し、操作キー１２２のＥＮＴＥＲキーを押す。これにより、ユーザーは、入力する映像信号の種別の選択が完了したことをマイコン１１８へ通知する。
【００７８】
図１６に戻り、マイコン１１８は、操作キー１２２のＥＮＴＥＲキーが押されると（ステップＳＡ−４６：Ｙｅｓ）、選択画面ＭＦにおける選択結果をメモリに記憶する（ステップＳＡ−４７）。
【００７９】
つぎに、マイコン１１８は、変数ｎをインクリメントする（ステップＳＡ−４８）。具体的には、マイコン１１８は、変数ｎに１を加える。
【００８０】
つぎに、マイコン１１８は、変数ｎの値が、接続したソース機器の総数Ｎ以上であるか否かを判定し、その判定結果が「Ｎ以上でない」というものであった場合（ステップＳＡ−４９：Ｎｏ）にはステップＳＡ−３５へ戻り、その判定結果が「Ｎ以上である」というものであった場合（ステップＳＡ−４９：Ｙｅｓ）には処理を終了する。
【００８１】
以上の処理の結果、図２０に示すように、接続した各々のソース機器について、音声信号を入力する入力端子と、映像信号を入力する入力端子と、ＨＤＭＩ信号を入力する入力端子とに加えて、さらに、入力する音声信号の種別と、入力する映像信号の種別と、ＨＤＭＩ信号の出力先と、が決定する。
【００８２】
そして、ＡＶアンプ１００の通常の再生時にユーザーが例えば「ＣＤ→ＤＶＤ→ＶＩＤＥＯ１→ＶＩＤＥＯ２→ＴＵＮＥＲ（接続したソース機器とは関係ないファンクション）→・・・」のようにファンクションの切替操作を行うことで、視聴したいファンクションを選択すると、マイコン１１８は、メモリで管理している図１４や図２０に示す管理テーブルに基づいて、ＨＤＭＩ音声信号切替スイッチ１２８を制御したり、ＤＳＰ１１２に対してアナログ音声信号またはデジタル音声信号のどちらを使用するかを指示したり、ＳＷ１０６ＡやＳＷ１０６Ｖを制御したりする。ユーザーが例えば視聴したいファンクションとしてＣＤを選択すると、マイコン１１８は、例えば図２０に示す管理テーブルに基づいて、ＤＳＰ１１２に対してデジタル音声信号をデコードするよう指示したり、ＳＷ１０６Ａを入力端子１０２Ａｄ２に切り替え且つＳＷ１０６ＶをＯＦＦに切り替えるよう制御したりする。
【００８３】
〔２−２．動作（その２）〕
ここでは、図２１および図２２などで示す動作（その２）について説明する。なお、本説明では、上述した〔２−１．動作（その１）〕での説明と重複するものを省略する場合がある。
【００８４】
まず、マイコン１１８は、接続のアサインを設定するファンクションをユーザーに選択させる選択画面ＭＧ（図２３参照）をモニタ１２０に表示して、接続のアサインを設定するファンクションをユーザーに選択させる（ステップＳＢ−１）。
【００８５】
ここで、図２３に示す選択画面ＭＧについて説明する。選択画面ＭＧは、ユーザーへの指示内容を表示する領域ＭＧ−１と、マイコン１１８のメモリに予め設定されたファンクション名の一覧を選択可能に表示する領域ＭＧ−２と、ファンクションの選択が完了したことをマイコン１１８へ通知する領域ＭＧ−３と、で構成される。領域ＭＧ−１には、例えば図２３に示す「接続するファンクションを選択してください」というような指示内容が表示される。領域ＭＧ−２には、例えば図２３に示す「ＦＵＮＣ１  ＦＵＮＣ２  ＦＵＮＣ３  ＦＵＮＣ４  ＦＵＮＣ５」というような選択内容が表示される。領域ＭＧ−２には、操作キー１２２の矢印キーで移動可能なカーソルが表示される。
【００８６】
ユーザーは、モニタ１２０に選択画面ＭＧが表示されたことを確認すると、操作キー１２２を使用して以下の手順〔２１〕および〔２２〕を実行して、接続のアサインを設定するファンクションの選択を行う。
〔２１〕ユーザーは、操作キー１２２の矢印キーを操作してカーソルを所望のファンクション名の表示位置へ移動し、操作キー１２２のＥＮＴＥＲキーを押す。そして、接続のアサインを設定するファンクションの数が複数である場合には、ユーザーはこの手順を繰り返し行う。なお、カーソルが領域ＭＧ−２内に在る場合に操作キー１２２のＥＮＴＥＲキーを押すと、カーソルが位置する部分の背景色が、図２３に示すように例えば白からグレーへと切り替わる。
〔２２〕ユーザーは、接続のアサインを設定するファンクションの選択が完了したら、操作キー１２２の矢印キーを操作してカーソルを領域ＭＧ−３へ移動し、操作キー１２２のＥＮＴＥＲキーを押す。これにより、ユーザーは、ファンクションの選択が完了したことをマイコン１１８へ通知する。
【００８７】
図２１に戻り、マイコン１１８は、操作キー１２２のＥＮＴＥＲキーが押されると（ステップＳＢ−２：Ｙｅｓ）、選択画面ＭＧで選択されたファンクションの総数を、メモリで管理する変数Ｎに代入して記憶する（ステップＳＢ−３）。なお、マイコン１１８は、ステップＳＢ−３において、選択画面ＭＧで選択された各々のファンクションに対し、整数値０からＮ−１までの管理番号を割り振る。
【００８８】
つぎに、マイコン１１８は、メモリで管理する変数ｎに０を代入する（ステップＳＢ−４）。
【００８９】
つぎに、マイコン１１８は、変数ｎの値と同じ管理番号が割り振られているファンクションにアサインするソース機器の再生をユーザーに指示したりＳＷ１０６ＡやＳＷ１０６Ｖへアサインする入力信号の種別をユーザーに選択させたりする選択画面ＭＨ（図２４、図２５参照）をモニタ１２０に表示して、ユーザーにソース機器を再生するよう促すと共に、アサインする入力信号の種別を選択させる（ステップＳＢ−５）。
【００９０】
ここで、図２４、図２５に示す選択画面ＭＨについて説明する。図２４、図２５に示す選択画面ＭＨは、ユーザーへの指示内容を表示する領域ＭＨ−１と、ＳＷ１０６ＡやＳＷ１０６Ｖへアサインする入力信号の種別を選択可能に表示する領域ＭＨ−２と、で構成される。領域ＭＨ−１には、選択画面ＭＡで選択されたファンクションに応じて、例えば図２４に示す「ＦＵＮＣ１のアサイン設定を行います。ＦＵＮＣ１にアサインするソース機器の再生をしてください。」や図２５に示す「ＦＵＮＣ３のアサイン設定を行います。ＦＵＮＣ３にアサインするソース機器の再生をしてください。」というような指示内容が表示される。領域ＭＨ−１には、再生対象のソース機器以外のものを停止するよう促す内容をさらに表示してもよい。これにより、後述する確認画面ＭＩに対するユーザーの指示誤りを起こり難くすることができる。領域ＭＨ−２には、例えば、図２４、図２５に示す「アサインするのは、音声のみ  映像のみ  音声と映像」というような選択内容が表示される。領域ＭＨ−２には、操作キー１２２の矢印キーで移動可能なカーソルが表示される。
【００９１】
ユーザーは、モニタ１２０に選択画面ＭＨが表示されたことを確認すると、指示されたファンクションにアサインするソース機器を再生すると共に、操作キー１２２の矢印キーを操作してカーソルを所望の種別の表示位置へ移動し、操作キー１２２のＥＮＴＥＲキーを押す。これにより、ユーザーは、指示されたファンクションにアサインするソース機器の再生とＳＷ１０６ＡやＳＷ１０６Ｖへアサインする入力信号の種別の選択とが完了したことをマイコン１１８へ通知する。
【００９２】
図２１に戻り、マイコン１１８は、操作キー１２２のＥＮＴＥＲキーが押されると（ステップＳＢ−６：Ｙｅｓ）、出力機器からの再生音・再生映像が所望のものであるかをユーザーに確認させるための確認画面ＭＩ（図２６、図２７参照）をモニタ１２０に表示して、出力機器からの再生音・再生映像が選択領域ＭＨで指示されたファンクションにアサインするソース機器からのものであるかをユーザーに確認させる（ステップＳＢ−７）。
【００９３】
ここで、図２６、図２７に示す確認画面ＭＩについて説明する。図２６、図２７に示す確認画面ＭＩは、ユーザーへの指示内容を表示する領域ＭＨ−１で構成される。領域ＭＨ−１には、選択画面ＭＨで選択されたファンクションにアサインするソース機器および入力信号の種別に応じて、例えば図２６に示す「アサイン確認中．．．再生音が聴こえたらＥＮＴＥＲキーを押してください。」や図２７に示す「アサイン確認中．．．再生音と映像を視聴できたらＥＮＴＥＲキーを押してください。」というような指示内容が表示される。
【００９４】
ユーザーは、モニタ１２０に確認画面ＭＩが表示されたことを確認すると、出力機器からの再生音・再生映像を確認しながら、それが選択画面ＭＨで指示されたファンクションにアサインするソース機器からのものである時に操作キー１２２のＥＮＴＥＲキーを押す。
【００９５】
図２１に戻り、マイコン１１８は、選択画面ＭＨで選択された入力信号の種別を確認し、変数ｎの値と同じ管理番号に対応するファンクションについて、以下の３つのパターンの処理の中からその種別に対応するものを実行する。
【００９６】
〔パターン１：選択された入力信号の種別が「音声のみ」であった場合〕
図２２へ進み、マイコン１１８は、選択画面ＭＨで選択された入力信号の種別が「音声のみ」であった場合（ステップＳＢ−８：「音声のみ」）、メモリで管理する変数ｉに０を代入する（ステップＳＢ−９）。なお、マイコン１１８のメモリは、音声入力端子群１０２Ａの各々の入力端子に対し整数値０からＩ−１（Ｉ：音声入力端子群１０２Ａを構成する入力端子の総数）までの管理番号が割り振られた図１３に示すような管理テーブルが予め記憶されている。
【００９７】
図２２に戻り、マイコン１１８は、音声入力端子群１０２Ａの複数の入力端子の中から図１３において変数ｉの値と同じ管理番号に対応する入力端子に接続を切り替えるようＳＷ１０６Ａを制御することで、ＳＷ１０６Ａを、変数ｉの値と同じ管理番号に対応する入力端子と接続する（ステップＳＢ−１０）。
【００９８】
つぎに、マイコン１１８は、確認画面ＭＩに対して操作キー１２２のＥＮＴＥＲキーが押されたか否かを確認し、その確認結果が「ＥＮＴＥＲキーが押された」というものであった場合（ステップＳＢ−１１：Ｙｅｓ）には変数ｎの値と同じ管理番号に対応するファンクションと、変数ｉの値と同じ管理番号に対応する入力端子との対応関係を決定し、決定した対応関係をメモリで図２８に示すように記憶し（ステップＳＢ−１２）、ＥＮＴＥＲキーが押されてない場合（ステップＳＢ−１１：Ｎｏ）にはステップＳＢ−１３へ進む。
【００９９】
ここで、図２８に示す管理テーブルについて説明する。図２８に示す管理テーブルは、管理番号とファンクション名と音声入力端子識別情報と映像入力端子識別情報とを相互に関連付けて格納する。管理番号は、上述したステップＳＢ−３において割り振ったものである。音声入力端子識別情報は、音声入力端子群１０２Ａの各々の入力端子を一意に識別するためのものであり、例えばａ１、ａ２、ａ３、ｄ１、ｄ２、ｄ３などである。映像入力端子識別情報は、映像入力端子群１０２Ｖの各々の入力端子を一意に識別するためのものであり、例えばｃｎ１、ｃｎ２、ｃｓ１、ｃｓ２、ｓｖ１、ｓｖ２などである。なお、パターン１の処理では映像信号がアサインされないので、図１４に示すテーブルには映像入力端子識別情報として「ＯＦＦ」を格納してもよい。
【０１００】
図２２に戻り、マイコン１１８は、変数ｉをインクリメントする（ステップＳＢ−１３）。具体的には、マイコン１１８は、変数ｉに１を加える。
【０１０１】
つぎに、マイコン１１８は、変数ｉの値が、音声入力端子群１０２Ａを構成する入力端子の総数Ｉ以上であるか否かを判定し、その判定結果が「Ｉ以上でない」というものであった場合（ステップＳＢ−１４：Ｎｏ）にはステップＳＢ−１０へ戻り、その判定結果が「Ｉ以上である」というものであった場合（ステップＳＢ−１４：Ｙｅｓ）にはステップＳＢ−３２へ進む。
【０１０２】
〔パターン２：選択された入力信号の種別が「映像のみ」であった場合〕
マイコン１１８は、選択画面ＭＨで選択された入力信号の種別が「映像のみ」であった場合（ステップＳＢ−８：「映像のみ」）、メモリで管理する変数ｊに０を代入する（ステップＳＢ−１５）。なお、マイコン１１８のメモリは、映像入力端子群１０２Ｖの個々の入力端子に対し整数値０からＪ−１（Ｊ：映像入力端子群１０２Ｖを構成する入力端子の総数）までの管理番号が割り振られた図１５に示すような管理テーブルが予め記憶されている。
【０１０３】
図２２に戻り、マイコン１１８は、映像入力端子群１０２Ｖの複数の入力端子の中から図１５において変数ｊの値と同じ管理番号に対応する入力端子に接続を切り替えるようＳＷ１０６Ｖを制御することで、ＳＷ１０６Ｖを、変数ｊの値と同じ管理番号に対応する入力端子と接続する（ステップＳＢ−１６）。
【０１０４】
つぎに、マイコン１１８は、確認画面ＭＩに対して操作キー１２２のＥＮＴＥＲキーが押されたか否かを確認し、その確認結果が「ＥＮＴＥＲキーが押された」というものであった場合（ステップＳＢ−１７：Ｙｅｓ）には変数ｎの値と同じ管理番号に対応するファンクションと、変数ｊの値と同じ管理番号の入力端子との対応関係を決定し、決定した対応関係をメモリで図２８に示すように記憶し（ステップＳＢ−１８）、その確認結果が「ＥＮＴＥＲキーが押されてない」というものであった場合（ステップＳＢ−１７：Ｎｏ）にはステップＳＢ−１９へ進む。なお、パターン２の処理では音声信号がアサインされないので、図１４に示す管理テーブルには音声入力端子識別情報として「ＯＦＦ」を格納してもよい。
【０１０５】
図２２に戻り、マイコン１１８は、変数ｊをインクリメントする（ステップＳＢ−１９）。具体的には、マイコン１１８は、変数ｊに１を加える。
【０１０６】
つぎに、マイコン１１８は、変数ｊの値が、映像入力端子群１０２Ｖを構成する入力端子の総数Ｊ以上であるか否かを判定し、その判定結果が「Ｊ以上でない」というものであった場合（ステップＳＢ−２０：Ｎｏ）にはステップＳＢ−１６へ戻り、その判定結果が「Ｊ以上である」というものであった場合（ステップＳＢ−２０：Ｙｅｓ）にはステップＳＢ−３２へ進む。
【０１０７】
〔パターン３：選択された入力信号の種別が「音声と映像」であった場合〕
マイコン１１８は、選択画面ＭＨで選択された入力信号の種別が「音声と映像」であった場合（ステップＳＢ−８：「音声と映像」）、メモリで管理する変数ｉおよび変数ｊにそれぞれ０を代入する（ステップＳＢ−２１）。なお、マイコン１１８のメモリには、音声入力端子群１０２Ａの各々の入力端子に対し整数値０からＩ−１（Ｉ：音声入力端子群１０２Ａを構成する入力端子の総数）までの管理番号が割り振られた図１３に示すような管理テーブルが予め記憶されている。また、マイコン１１８のメモリには、映像入力端子群１０２Ｖの各々の入力端子に対し整数値０からＪ−１（Ｊ：映像入力端子群１０２Ｖを構成する入力端子の総数）までの管理番号が割り振られた図１５に示すような管理テーブルが予め記憶されている。
【０１０８】
図２２に戻り、マイコン１１８は、音声入力端子群１０２Ａの複数の入力端子の中から図１３において変数ｉの値と同じ管理番号に対応する入力端子に接続を切り替えるようＳＷ１０６Ａを制御することで、ＳＷ１０６Ａと、変数ｉの値と同じ管理番号に対応する入力端子とを接続する（ステップＳＢ−２２）。
【０１０９】
つぎに、マイコン１１８は、確認画面ＭＩに対して操作キー１２２のＥＮＴＥＲキーが押されたか否かを確認し、その確認結果が「ＥＮＴＥＲキーが押された」というものであった場合（ステップＳＢ−２３：Ｙｅｓ）には変数ｎの値と同じ管理番号に対応するファンクションと、変数ｉの値と同じ管理番号に対応する入力端子との対応関係を決定し、決定した対応関係をメモリで図２８に示すように記憶し（ステップＳＢ−２４）、その確認結果が「ＥＮＴＥＲキーが押されてない」というものであった場合（ステップＳＢ−２３：Ｎｏ）にはステップＳＢ−３０へ進む。
【０１１０】
図２２に戻り、マイコン１１８は、映像入力端子群１０２Ｖの複数の入力端子の中から図１５において変数ｊの値と同じ管理番号に対応する入力端子に接続を切り替えるようＳＷ１０６Ｖを制御することで、ＳＷ１０６Ｖを、変数ｊの値と同じ管理番号に対応する入力端子と接続する（ステップＳＢ−２５）。
【０１１１】
つぎに、マイコン１１８は、確認画面ＭＩに対して操作キー１２２のＥＮＴＥＲキーが押されたか否かを確認し、その確認結果が「ＥＮＴＥＲキーが押された」というものであった場合（ステップＳＢ−２６：Ｙｅｓ）には変数ｎの値と同じ管理番号に対応するファンクションと、変数ｊの値と同じ管理番号に対応する入力端子との対応関係を決定し、決定した対応関係をステップＳＢ−２４で決定した対応関係と関連付けてメモリで図２８に示すように記憶し（ステップＳＢ−２７）、その確認結果が「ＥＮＴＥＲキーが押されてない」というものであった場合（ステップＳＢ−２６：Ｎｏ）にはステップＳＢ−２８へ進む。
【０１１２】
図２２に戻り、マイコン１１８は、変数ｊをインクリメントする（ステップＳＢ−２８）。具体的には、マイコン１１８は、変数ｊに１を加える。
【０１１３】
つぎに、マイコン１１８は、変数ｊの値が、映像入力端子群１０２Ｖを構成する入力端子の総数Ｊ以上であるか否かを判定し、その判定結果が「Ｊ以上でない」というものであった場合（ステップＳＢ−２９：Ｎｏ）にはステップＳＢ−２５へ戻り、その判定結果が「Ｊ以上である」というものであった場合（ステップＳＢ−２９：Ｙｅｓ）にはステップＳＢ−３０へ進む。
【０１１４】
つぎに、マイコン１１８は、変数ｉをインクリメントする（ステップＳＢ−３０）。具体的には、マイコン１１８は、変数ｉに１を加える。
【０１１５】
つぎに、マイコン１１８は、変数ｉの値が、音声入力端子群１０２Ａを構成する入力端子の総数Ｉ以上であるか否かを判定し、その判定結果が「Ｉ以上でない」というものであった場合（ステップＳＢ−３１：Ｎｏ）にはステップＳＢ−２２へ戻り、その判定結果が「Ｉ以上である」というものであった場合（ステップＳＢ−３１：Ｙｅｓ）にはステップＳＢ−３２へ進む。
【０１１６】
これにて、３つのパターンの処理の説明を終了する。
【０１１７】
つぎに、マイコン１１８は、変数ｎをインクリメントする（ステップＳＢ−３２）。具体的には、マイコン１１８は、変数ｎに１を加える。
【０１１８】
つぎに、マイコン１１８は、変数ｎの値が、接続のアサインを設定するファンクションの総数Ｎ以上であるか否かを判定し、その判定結果が「Ｎ以上でない」というものであった場合（ステップＳＢ−３３：Ｎｏ）にはステップＳＢ−５へ戻り、その判定結果が「Ｎ以上である」というものであった場合（ステップＳＢ−３３：Ｙｅｓ）には処理を終了する。
【０１１９】
以上の処理の結果、図２８に示すように、接続のアサインを設定した各々のファンクションについて、音声信号を入力する入力端子と、映像信号を入力する入力端子とが決定する。
【０１２０】
なお、ＡＶアンプ１００は、図２１および図２２に示す動作に続けて、マイコン１１８を中心として、図２９に示す動作を実行してもよい。図２９は、ＡＶアンプ１００の動作の一例を示すフローチャートである。
【０１２１】
マイコン１１８は、図２２に示すステップＳＢ−３３に続けて、変数ｎに０を代入することで変数ｎをリセットする（ステップＳＢ−３４）。
【０１２２】
つぎに、マイコン１１８は、図２８において、変数ｎの値と同じ管理番号に対応するファンクションに対し、音声信号入力端子識別情報が複数格納されているか否か（音声入力端子群１０２Ａへの割り当てが複数あるか否か）、映像信号入力端子識別情報が複数格納されているか否か（映像入力端子群１０２Ｖへの割り当てが複数あるか否か）を確認する（ステップＳＢ−３５）。
【０１２３】
つぎに、マイコン１１８は、ステップＳＢ−３５での確認結果が「図２８において音声入力端子群１０２Ａへの割り当てが複数ある」というものであった場合（ステップＳＢ−３６：Ｙｅｓ）には、変数ｎの値と同じ管理番号に対応するファンクションにアサインするソース機器から入力する音声信号の種別（例えば、アナログ、デジタルなど）をユーザーに選択させる選択画面ＭＪ（図３０参照）をモニタ１２０に表示して、入力する音声信号の種別をユーザーに選択させ（ステップＳＢ−３７）、音声入力端子群１０２Ａへの割り当てが複数ない場合（ステップＳＢ−３６：Ｎｏ）には、ステップＳＢ−４０へ進む。
【０１２４】
ここで、図３０に示す選択画面ＭＪについて説明する。選択画面ＭＪは、変数ｎの値と同じ管理番号に対応するファンクション名を表示する領域ＭＪ−１と、入力する音声信号の種別を選択可能に表示する領域ＭＪ−２と、で構成される。領域ＭＪ−１には、例えば図３０に示す「ＦＵＮＣ１」というような内容が表示される。領域ＭＪ−２には、例えば図３０に示す「音声入力は、《ＡＵＴＯ（ＤＩＧＩＴＡＬが優先となります）》《ＡＮＡＬＯＧ固定》《ＤＩＧＩＴＡＬ固定》」というような選択内容が表示される。領域ＭＪ−２には、操作キー１２２の矢印キーで移動可能なカーソルが表示される。
【０１２５】
ユーザーは、モニタ１２０に選択画面ＭＪが表示されたことを確認すると、操作キー１２２の矢印キーを操作してカーソルを所望の種別の表示位置へ移動し、操作キー１２２のＥＮＴＥＲキーを押す。これにより、ユーザーは、入力する音声信号の種別の選択が完了したことをマイコン１１８へ通知する。
【０１２６】
図２９に戻り、マイコン１１８は、操作キー１２２のＥＮＴＥＲキーが押されると（ステップＳＢ−３８：Ｙｅｓ）、選択画面ＭＪにおける選択結果をメモリに記憶する（ステップＳＢ−３９）。
【０１２７】
つぎに、マイコン１１８は、ステップＳＢ−３５での確認結果が「図２８において映像入力端子群１０２Ｖへの割り当てが複数ある」というものであった場合（ステップＳＢ−４０：Ｙｅｓ）には、変数ｎの値と同じ管理番号に対応するファンクションにアサインするソース機器から入力する映像信号の種別（例えばコンポーネント、コンポジットなど）をユーザーに選択させる選択画面ＭＫ（図３１参照）をモニタ１２０に表示して、入力する映像信号の種別をユーザーに選択させ（ステップＳＢ−４１）、入力端子群１０２Ｖへの割り当てが複数ない場合（ステップＳＢ−４０：Ｎｏ）には、ステップＳＢ−４４へ進む。
【０１２８】
ここで、図３１に示す選択画面ＭＫについて説明する。選択画面ＭＫは、変数ｎの値と同じ管理番号に対応するファンクション名を表示する領域ＭＫ−１と、入力する映像信号の種別を選択可能に表示する領域ＭＫ−２と、で構成される。領域ＭＫ−１には、例えば図３１に示す「ＦＵＮＣ３」というような内容が表示される。領域ＭＫ−２には、例えば図３１に示す「映像入力は、《ＡＵＴＯ（コンポーネント、Ｓビデオ、コンポジットの順で優先します）》《コンポーネント１》《コンポジット２》」というような選択内容が表示される。領域ＭＫ−２には、操作キー１２２の矢印キーで移動可能なカーソルが表示される。
【０１２９】
ユーザーは、モニタ１２０に選択画面ＭＫが表示されたことを確認すると、操作キー１２２の矢印キーを操作してカーソルを所望の種別の表示位置へ移動し、操作キー１２２のＥＮＴＥＲキーを押す。これにより、ユーザーは、入力する映像信号の種別の選択が完了したことをマイコン１１８へ通知する。
【０１３０】
図２９に戻り、マイコン１１８は、操作キー１２２のＥＮＴＥＲキーが押されると（ステップＳＢ−４２：Ｙｅｓ）、選択画面ＭＫにおける選択結果をメモリに記憶する（ステップＳＡ−４３）。
【０１３１】
つぎに、マイコン１１８は、変数ｎをインクリメントする（ステップＳＢ−４４）。具体的には、マイコン１１８は、変数ｎに１を加える。
【０１３２】
つぎに、マイコン１１８は、変数ｎの値が、接続のアサインを設定するファンクションの総数Ｎ以上であるか否かを判定し、その判定結果が「Ｎ以上でない」というものであった場合（ステップＳＢ−４５：Ｎｏ）にはステップＳＢ−３５へ戻り、その判定結果が「Ｎ以上である」というものであった場合（ステップＳＢ−４５：Ｙｅｓ）には処理を終了する。
【０１３３】
以上の処理の結果、図３２に示すように、接続のアサインを設定した各々のファンクションについて、音声信号を入力する入力端子と、映像信号を入力する入力端子とに加えて、さらに、入力する音声信号の種別と、入力する映像信号の種別とが決定する。
【０１３４】
そして、ＡＶアンプ１００の通常の再生時にユーザーが例えば「ＦＵＮＣ１→ＦＵＮＣ３→ＦＵＮＣ４→ＦＵＮＣ５→ＴＵＮＥＲ（接続したソース機器とは関係ないファンクション）→・・・」のようにファンクションの切替操作を行うことで、視聴したいファンクションを選択すると、マイコン１１８は、メモリで管理している図２８や図３２に示す管理テーブルに基づいて、ＤＳＰ１１２に対してアナログ音声信号またはデジタル音声信号のどちらを使用するかを指示したり、ＳＷ１０６ＡおよびＳＷ１０６Ｖを制御したりする。ユーザーが例えば視聴したいファンクションとしてＣＤを選択すると、マイコン１１８は、例えば図３２に示す管理テーブルに基づいて、ＤＳＰ１１２に対してデジタル音声信号をデコードするよう指示したり、ＳＷ１０６Ａを入力端子１０２Ａｄ２に切り替え且つＳＷ１０６ＶをＯＦＦに切り替えるよう制御したりする。
【０１３５】
〔３．ＡＶアンプ１００のまとめ〕
以上、詳細に説明したように、ＡＶアンプ１００によれば、音声入力端子群１０２Ａを構成する各々の入力端子および映像入力端子群１０２Ｖを構成する各々の入力端子をそれぞれＳＷ１０６ＡおよびＳＷ１０６Ｖに切り替えさせながら、出力機器からの出力が所望のものであるか否かをユーザーに操作キー１２２で指示させることで、操作キー１２２でユーザーに予め設定させたソース機器またはファンクションと、音声入力端子群１０２Ａを構成する各々の入力端子・映像入力端子群１０２Ｖを構成する各々の入力端子・ＨＤＭＩ入力端子群を構成する各々の入力端子との対応関係を決定し、決定した対応関係をメモリに記憶する。これにより、同一種別の信号を出力する同一種別のソース機器が複数接続されて再生されている場合でも、各ソース機器についてファンクションと入力端子との対応関係を正しく決定することができ、結果としてソース機器の接続作業に掛かるユーザーの負担を確実に軽減し、布いては従来のような接続ミスや設定ミスの発生を無くすこと等ができる。
【０１３６】
なお、ＡＶアンプ１００によれば、音声入力端子群１０２Ａを構成する各々の入力端子や映像入力端子群１０２Ｖを構成する各々の入力端子で入力する信号の種別をユーザーに選択させ、選択された種別に応じてＳＷ１０６ＡおよびＳＷ１０６Ｖに入力端子を切り替えさせながらユーザーに出力機器からの出力が所望のものであるか否かを指示させることで、対応関係を決定してもよい。これにより、ＳＷ１０６ＡおよびＳＷ１０６Ｖを効率よく制御することができる。
【０１３７】
また、ＡＶアンプ１００によれば、決定した対応関係においてＨＤＭＩ信号の入力端子（ＨＤＭＩ１、ＨＤＭＩ２）が割り当てられている場合には、当該入力端子で入力した信号の出力先をユーザーに設定させてもよい。これにより、ユーザーは所望の出力先を設定することができる。
【０１３８】
また、ＡＶアンプ１００によれば、決定した対応関係において音声信号の入力端子（ａ１、ａ２、ａ３、ｄ１、ｄ２、ｄ３）や映像信号の入力端子（ｃｎ１、ｃｎ２、ｃｓ１、ｃｓ２、ｓｖ１、ｓｖ２）がそれぞれ複数割り当てられている場合には、当該入力端子で入力する信号の種別をユーザーに設定させてもよい。これにより、ユーザーは所望の種別の入力信号を設定することができる。
【０１３９】
また、ＡＶアンプ１００によれば、現状のようなリアパネルへの文字の印刷が不要となるので、リアパネル内の印刷領域を別の目的（例えば、入力端子を増やしたり、デザイン的にすっきりとしたものに改良したりすることなどの目的）で使用することができる。
【０１４０】
また、ＡＶアンプ１００によれば、上述した対応関係を決定する際、ＳＷ１０６ＡやＳＷ１０６Ｖを、マイコン１１８で自動制御せずにユーザーで手動制御してもよい。具体的には、ユーザーは、以下の手順〔３１〕から〔３４〕に従ってＳＷ１０６ＡやＳＷ１０６Ｖを手動で制御することで、マイコン１１８のメモリに、図３３に示すような対応関係を記憶させてもよい。
〔３１〕ユーザーは、接続した全てのソース機器を再生する。
〔３２〕ユーザーは、操作キー１２２でＳＷ１０６Ａを切り替えながら、出力機器から所望の音声が出力されたのを確認したところで次へ進む。
〔３３〕ユーザーは、操作キー１２２でＳＷ１０６Ｖを切り替えながら、出力機器から所望の映像が出力されたのを確認したところで次へ進む。
〔３４〕ユーザーは、操作キー１２２でファンクション名を指定しＥＮＴＥＲキーを押す。これにより、マイコン１１８のメモリには、図３３に示す対応関係が記憶される。
そして、通常の再生時においてユーザーが視聴したいファンクションを選択すると、マイコン１１８は、メモリに記憶した対応関係に基づいてＳＷ１０６ＡおよびＳＷ１０６Ｖを制御する。
このような手動制御による対応関係の決定の場合、１つのソース機器を複数のファンクションに割り当てることができる。
また、上述した動作（その２）のように、ファンクション名は、接続機器に限らず、例えば「ファンクション１」や「ファンクション２」、「ファンクション３」などのように設定してもよい。これにより、例えばファンクション１には姉、ファンクション２には父、ファンクション３には母といったように、使う人ごとにファンクションを振り分けたり、例えばデモンストレーションなどで色々な映像や資料を視聴したいときにファンクションごとに設定しておいたりすることができる。また、ファンクション名をリネームする（書き換える）機能を付加してもよい。これにより、ユーザーにとってさらに使い勝手がよくなる。また、例えばＣＤをアナログ入力に接続しＤＶＤをアナログ入力とコンポジット入力に接続している際において映像をＤＶＤで音声をＣＤで視聴したい場合、リアパネルの配線を変えなくても、新たなファンクションに、音声・ＣＤ、映像・ＤＶＤと割り当てることができる。
【図面の簡単な説明】
【０１４１】
【図１】ＡＶアンプ１００の構成の一例を示すブロック図である。
【図２】ＡＶアンプ１００の動作（その１）の一例を示すフローチャートである。
【図３】ＡＶアンプ１００の動作（その１）の一例を示すフローチャートである。
【図４】選択画面ＭＡの一例を示す図である。
【図５】選択画面ＭＢの一例を示す図である。
【図６】選択画面ＭＢの一例を示す図である。
【図７】選択画面ＭＢの一例を示す図である。
【図８】選択画面ＭＢの一例を示す図である。
【図９】確認画面ＭＣの一例を示す図である。
【図１０】確認画面ＭＣの一例を示す図である。
【図１１】確認画面ＭＣの一例を示す図である。
【図１２】確認画面ＭＣの一例を示す図である。
【図１３】音声入力端子群１０２Ａの各々の入力端子の管理テーブルの一例を示す図である。
【図１４】ソース機器と入力端子との対応関係の管理テーブルの一例を示す図である。
【図１５】映像入力端子群１０２Ｖの各々の入力端子の管理テーブルの一例を示す図である。
【図１６】ＡＶアンプ１００の動作の一例を示すフローチャートである。
【図１７】選択画面ＭＤの一例を示す図である。
【図１８】選択画面ＭＥの一例を示す図である。
【図１９】選択画面ＭＦの一例を示す図である。
【図２０】ソース機器と入力端子との対応関係の管理テーブルの一例を示す図である。
【図２１】ＡＶアンプ１００の動作（その２）の一例を示すフローチャートである。
【図２２】ＡＶアンプ１００の動作（その２）の一例を示すフローチャートである。
【図２３】選択画面ＭＧの一例を示す図である。
【図２４】選択画面ＭＨの一例を示す図である。
【図２５】選択画面ＭＨの一例を示す図である。
【図２６】選択画面ＭＩの一例を示す図である。
【図２７】選択画面ＭＩの一例を示す図である。
【図２８】ファンクションと入力端子との対応関係の管理テーブルの一例を示す図である。
【図２９】ＡＶアンプ１００の動作の一例を示すフローチャートである。
【図３０】選択画面ＭＪの一例を示す図である。
【図３１】選択画面ＭＫの一例を示す図である。
【図３２】ファンクションと入力端子との対応関係の管理テーブルの一例を示す図である。
【図３３】ファンクションと入力端子との対応関係の管理テーブルの一例を示す図である。
【符号の説明】
【０１４２】
１００  ＡＶアンプ
１０２  入力端子群
１０２Ａ  音声入力端子群
１０２Ａａ１，１０２Ａａ２，１０２Ａａ３  アナログ入力端子
１０２Ａｄ１，１０２Ａｄ２，１０２Ａｄ３  デジタル入力端子
１０２Ｖ  映像入力端子群
１０２Ｖｃｎ１，１０２Ｖｃｎ２  コンポーネント入力端子
１０２Ｖｃｓ１，１０２Ｖｃｓ２  コンポジット入力端子
１０２Ｖｓｖ１，１０２Ｖｃｓ２  Ｓビデオ入力端子
１０２Ｈ  ＨＤＭＩ入力端子群
１０２Ｈ１，１０２Ｈ２  ＨＤＭＩ入力端子
１０４  出力端子群
１０４Ａ  音声出力端子
１０４Ｖ  映像出力端子
１０４Ｈ  ＨＤＭＩ出力端子
１０６Ａ  ＳＷ（音声信号用）
１０６Ｖ  ＳＷ（映像信号用）
１０８  Ａ／Ｄ変換器
１１０  ＤＩＲ
１１２  ＤＳＰ
１１４  Ｄ／Ａ変換器
１１６  ａｍｐ
１１８  マイコン
１２０  モニタ
１２２  操作キー
１２４  ビデオコンバータ
１２６  ＨＤＭＩ受信デコーダ
１２８  ＨＤＭＩ音声信号切替スイッチ
１３０  ＨＤＭＩエンコーダ
【図１】
2008153964.tif 000003
【図２】
2008153964.tif 000004
【図３】
2008153964.tif 000005
【図４】
2008153964.tif 000006
【図５】
2008153964.tif 000007
【図６】
2008153964.tif 000008
【図７】
2008153964.tif 000009
【図８】
2008153964.tif 000010
【図９】
2008153964.tif 000011
【図１０】
2008153964.tif 000012
【図１１】
2008153964.tif 000013
【図１２】
2008153964.tif 000014
【図１３】
2008153964.tif 000015
【図１４】
2008153964.tif 000016
【図１５】
2008153964.tif 000017
【図１６】
2008153964.tif 000018
【図１７】
2008153964.tif 000019
【図１８】
2008153964.tif 000020
【図１９】
2008153964.tif 000021
【図２０】
2008153964.tif 000022
【図２１】
2008153964.tif 000023
【図２２】
2008153964.tif 000024
【図２３】
2008153964.tif 000025
【図２４】
2008153964.tif 000026
【図２５】
2008153964.tif 000027
【図２６】
2008153964.tif 000028
【図２７】
2008153964.tif 000029
【図２８】
2008153964.tif 000030
【図２９】
2008153964.tif 000031
【図３０】
2008153964.tif 000032
【図３１】
2008153964.tif 000033
【図３２】
2008153964.tif 000034
【図３３】
2008153964.tif 000035